(57)【要約】【課題】本発明は、スライダーによる開口部の開閉操作に伴って、チャック部からスライダーが不意に外れてしまうことを防止でき、且つスムーズな開閉操作を行うことのできるファスナーを提供する。【解決手段】本発明のファスナーは、合成樹脂シートと、一対のチャック部と、スライダーとを備え、一対のチャック部は、互いに噛合う方向へ突出するとともに相互間に第１嵌合溝を形成する一対のリブと、合成樹脂シートに接続され且つ一方のリブとの間に第２嵌合溝を形成する壁部と、一対のリブ及び壁部を一体的に連結する連結部と、をそれぞれ有し、各リブは、一方のリブのツメ部と他方のリブのツメ部とが嵌合方向で係止する構成とされており、壁部及び他方のリブのうちの少なくともいずれか一方に、ツメ部の延出方向とは反対側へ突出する凸部が設けられ、一対のチャック部が嵌合した状態において、一方のチャック部の凸部が他方のチャック部に当接している。【選択図】図１
2018094145.tif 000002
【特許請求の範囲】
【請求項１】
開口部を構成し、合成樹脂シートの端部に設けられ且つ相互に嵌合する一対のチャック部と、
前記一対のチャック部をそれぞれ挿入させて双方を嵌合させるあるいは嵌合を解除させることで前記開口部を開閉するスライダーと、を備え、
前記一対のチャック部は、
前記一対のチャック部が互いに噛合う方向へ突出するとともに相互間に第１嵌合溝を形成する一対のリブと、
前記合成樹脂シートに接続され且つ一方のリブとの間に第２嵌合溝を形成する壁部と、
前記一対のリブ及び前記壁部を一体的に連結する連結部と、をそれぞれ有し、
各リブは、各々の先端に前記壁部側へ延出するツメ部を有し、前記一対のチャック部が嵌合した状態において、前記一方のチャック部の前記ツメ部と他方の前記チャック部の前記ツメ部とが嵌合方向で係止可能な構成とされており、
前記壁部及び他方のリブのうちの少なくともいずれか一方に、前記ツメ部の延出方向とは反対側へ突出する凸部が設けられ、前記一対のチャック部が嵌合した状態において、前記一方のチャック部の前記凸部が前記他方のチャック部に当接している、ファスナー。
【請求項２】
前記凸部が、前記壁部及び前記他方のリブの両方に設けられており、
前記一対のチャック部が嵌合した状態において、前記一方のチャック部の前記凸部と、前記他方のチャック部の前記凸部とが前記嵌合方向で係止する構成とされている、請求項１に記載のファスナー。
【請求項３】
前記凸部は、先端側が円弧状あるいは先鋭形状とされている、請求項１または２に記載のファスナー。
【発明の詳細な説明】
【技術分野】
【０００１】
本発明は、ファスナーに関するものである。
【背景技術】
【０００２】
従来、両端に相互に噛合うチャック部を設けた合成樹脂シートを製袋加工し、互いに嵌合可能なチャック部によって構成される開口部をスライダーで開閉するファスナー付き袋体とすることは、旅行用の化粧品やハミガキ・歯ブラシセット等の収納ケースに多く使用されている。このような収納ケースは、軽くて変形しやすいため収納性に優れ、持ち運び易すい（例えば、特許文献１，２）。
【先行技術文献】
【特許文献】
【０００３】
【特許文献１】特開昭３７−５４２９号公報
【特許文献２】特開昭３３−４１３４号公報
【発明の概要】
【発明が解決しようとする課題】
【０００４】
上記の袋体は、合成樹脂シートとファスナーとが相互に接着加工可能なプラスチック材料、あるいは同一のプラスチック材料から形成されている。このため、夏季の気温の高い環境下では、ファスナーが柔軟になりスライダーによる開口部の開閉操作がし難くなる。また、冬季の気温の低い環境下では、ファスナーが硬化するため硬くなり、スライダーがチャック部から外れてしまうなどの不具合が生じていた。
【０００５】
本発明の一つの態様は、上記従来技術の問題点に鑑み成されたものであって、スライダーによる開口部の開閉操作に伴って、チャック部からスライダーが不意に外れてしまうことを防止でき、且つスムーズな開閉操作を行うことのできるファスナーを提供することを目的とする。
【課題を解決するための手段】
【０００６】
本発明の一態様におけるファスナーは、開口部を構成し、合成樹脂シートの端部に設けられ且つ相互に嵌合する一対のチャック部と、前記一対のチャック部をそれぞれ挿入させて双方を嵌合させるあるいは嵌合を解除させることで前記開口部を開閉するスライダーと、を備え、前記一対のチャック部は、前記一対のチャック部が互いに噛合う方向へ突出するとともに相互間に第１嵌合溝を形成する一対のリブと、前記合成樹脂シートに接続され且つ一方のリブとの間に第２嵌合溝を形成する壁部と、前記一対のリブ及び前記壁部を一体的に連結する連結部と、をそれぞれ有し、各リブは、各々の先端に前記壁部側へ延出するツメ部を有し、前記一対のチャック部が嵌合した状態において、前記一方のチャック部の前記ツメ部と他方の前記チャック部の前記ツメ部とが嵌合方向で係止可能な構成とされており、前記壁部及び他方のリブのうちの少なくともいずれか一方に、前記ツメ部の延出方向とは反対側へ突出する凸部が設けられ、前記一対のチャック部が嵌合した状態において、前記一方のチャック部の前記凸部が前記他方のチャック部に当接している。
【０００７】
本発明の一態様におけるファスナーにおいて、前記凸部が、前記壁部及び前記他方のリブの両方に設けられており、前記一対のチャック部が嵌合した状態において、前記一方のチャック部の前記凸部と、前記他方のチャック部の前記凸部とが前記嵌合方向で係止する構成としてもよい。
【０００８】
本発明の一態様におけるファスナーにおいて、前記凸部は、先端側が円弧状あるいは先鋭形状とされている構成としてもよい。
【発明の効果】
【０００９】
本発明によれば、スライダーによる開口部の開閉操作に伴って、チャック部からスライダーが不意に外れてしまうことを防止でき、且つスムーズな開閉操作を行うことのできるファスナーを提供することができる。
【図面の簡単な説明】
【００１０】
【図１】本発明におけるファスナーを備えた収納ケースの全体構成を示す斜視図。
【図２】本発明におけるファスナーの開閉状態を示す図。
【図３】（ａ）本発明における第１チャック部の構成を示す断面図。（ｂ）は、本発明における第２チャック部の構成を示す断面図。
【図４】図２におけるIII−III線に沿う断面図。
【図５】リブ構造の変形例を示す断面図。
【発明を実施するための形態】
【００１１】
[一実施形態]
以下、本発明に係る一実施形態のファスナーの構成について説明する。
なお、以下の各図面においては、各構成要素を見やすくするため、構成要素によって寸法の縮尺を異ならせて示すことがある。
以下の実施形態においては、本発明のファスナーを備えた収納ケースについて述べる。
【００１２】
図１は、本発明におけるファスナーを備えた収納ケースの全体構成を示す斜視図である。図２は、本発明におけるファスナーの開閉状態を示す図である。図３（ａ）は、本発明における第１チャック部の構成を示す断面図であり、図３（ｂ）は、本発明における第２チャック部の構成を示す断面図である。図４は、図２におけるIII−III線に沿う断面図である。
【００１３】
図１に示す収納ケース１００は、開口部１０３と、開口部１０３を通じて、内側に構成される収納空間１０１へ歯ブラシ等の収納対象物を収納可能とする収納部１０２と、収納部１０２の開口部１０３を開閉させるファスナー１０５と、を備えている。
【００１４】
収納部１０２は、図１に示すように、透明かつ可撓性を有する合成樹脂シート１３を筒状に湾曲してなる筒部１４と、筒部１４の中心軸線Ｏに沿う両端に設けられた円形状をなす側壁部１５ａ，１５ｂと、を有している。
【００１５】
合成樹脂シート１３を構成する材料としては、ＰＶＣ（ポリ塩化ビニル）、ＥＶＡ（エチレン酢酸ビニル共重合体）、ＥＥＡ（エチレンエチルアクリレート）、ＥＭＭＡ（エチレンメタクリル酸共重合体）、ＰＰ（ポリプロピレン）、ＬＬＤＰＥ（直鎖状低密度ポリエチレン）などを挙げることができる。
筒部１４及び各側壁部１５ａ，１５ｂを構成する材料は互いに同じ材料であってもよいし、異なる材料であっていてもよい。筒部１４の形成材料としては、例えば、ＰＶＣ（ポリ塩化ビニル）、ＥＶＡ（エチレン酢酸ビニル共重合体）、ＥＥＡ（エチレンエチルアクリレート）、ＥＭＭＡ（エチレンメタクリル酸共重合体）、ＰＰ（ポリプロピレン）、ＬＬＤＰＥ（直鎖状低密度ポリエチレン）などを挙げることができる。各側壁部１５ａ，１５ｂは、筒部１４と同様に透明かつ可撓性を有していてもよいが、これに限られず、不透明であってもよいし、可撓性を有していなくてもよい。
【００１６】
ファスナー１０５は、図２に示すように、収納部１０２の開口部１０３を構成する一対のチャック部１１，１２と、一対のチャック部１１，１２を嵌合または嵌合解除することで開口部１０３を開閉するスライダー１０４と、を主に備えて構成されている。
【００１７】
一対のチャック部１１，１２は、筒部１４を構成する合成樹脂シート１３の各端辺部に設けられており、互いに嵌合することによって開口部１０３を閉じる構成となっている。
【００１８】
スライダー１０４は、一対のチャック部１１，１２の双方を嵌合させる、あるいは嵌合を解除させることによって、収納部１０２の開口部１０３を開閉するものである。スライダー１０４は、一対のチャック部１１，１２をそれぞれ挿入させる挿入孔１０４ａ（図２：一方は不図示）が形成された操作部１０４Ａと、操作部１０４Ａに連結構造部１０４Ｂを介して取り付けられた取手部１０４Ｃと、を有している。
【００１９】
ファスナー１０５を構成する材料としては、ＰＶＣ（ポリ塩化ビニル）、ＥＶＡ（エチレン酢酸ビニル共重合体）、ＰＰ（ポリプロピレン）などを挙げることができる。
【００２０】
以下、チャック部１１，１２の構成について詳しく説明する。
第１チャック部１１及び第２チャック部１２は、図１及び図２に示したように、収納部１０２の筒部１４を構成する合成樹脂シート１３の両端にそれぞれ設けられ、開口部１０３（合成樹脂シート１３の端辺）に沿って一方向へ延在している。各チャック部１１，１２は、図３（ａ），（ｂ）に示すように、互いに同一形状をなし、同一の金型を用いて押出成形されたものである。
【００２１】
図３（ａ），（ｂ）に示すように、第１チャック部１１及び第２チャック部１２は、一対のリブ１６ａ，１６ｂと、一対の嵌合溝１７ａ，１７ｂと、壁部１８と、連結部１９と、をそれぞれ有して構成されている。
【００２２】
各壁部１８は、合成樹脂シート１３の一端側に接続されている。第１チャック部１１の壁部１８は合成樹脂シート１３の一端側から外へ屈曲形成され、第２チャック部１２の壁部１８は合成樹脂シート１３の一端側から収納空間１０１側へ屈曲形成されている。連結部１９は、壁部１８の合成樹脂シート１３に接続する端部１８ｂとは反対側の端部１８ｃに接続されている。連結部１９は、合成樹脂シート１３に略平行し、壁部１８と一対のリブ１６ａ，１６ｂとを一体的に連結している。
【００２３】
各リブ１６ａ，１６ｂは、連結部１９の一面１９ａ側に設けられ、一面１９ａから径方向内側であって、対向する他のチャック部と噛み合う方向（Ｚ方向）へ突出している。各リブ１６ａ，１６ｂの一面１９ａからの突出高さは、合成樹脂シート１３の他面１３ｂを超える高さである。
【００２４】
第１リブ（他方のリブ）１６ａは、連結部１９の壁部１８側の端部１９ｂとは反対側の端部１９ｃに位置する。第２リブ（一方のリブ）１６ｂは、壁部１８と第１リブ１６ａとの間のほぼ中間に位置する。第１リブ１６ａと第２リブ１６ｂとの間には第１嵌合溝１７ａが形成され、第２リブ１６ｂと壁部１８との間には第２嵌合溝１７ｂが形成される。また、各リブ１６ａ，１６ｂには、先端側に壁部１８側へ延出する嵌合ツメ部（ツメ部）１６ｃが設けられている。嵌合ツメ部１６ｃは、先端側が連結部１９側へ向けて傾倒しているとともに、先端側へ行くにしたがって薄肉とされている。
【００２５】
このように、第１チャック部１１及び第２チャック部１２は互いに相反した同形状とされている。図４に示すように、これら各チャック部１１，１２が互いに嵌合した状態において、一方のチャック部１１（１２）における第１嵌合溝１７ａ及び第２嵌合溝１７ｂ内に、他方のチャック部１２（１１）の第１リブ１６ａ及び第２リブ１６ｂがそれぞれ挿入保持される。具体的には、第１チャック部１１の第１嵌合溝１７ａ内に第２チャック部１２の第２リブ１６ｂが挿入保持され、第１チャック部１１の第２嵌合溝１７ｂ内に第２チャック部１２の第１リブ１６ａが挿入保持される。第２チャック部１２側も同様である。
【００２６】
また、図４に示すように各チャック部１１，１２が嵌合した状態においては、第１チャック部１１の各リブ１６ａ，１６ｂの嵌合ツメ部１６ｃと、第２チャック部１２の各リブ１６ａ，１６ｂの嵌合ツメ部１６ｃは嵌合方向に離れており、これらの間に隙間Ｓ１が存在する。各チャック部１１，１２が嵌合した状態において、嵌合方向へ上記隙間Ｓ１以上の位置ずれが生じようとしても、一方のチャック部の嵌合ツメ部１６ｃと他方のチャック部の嵌合ツメ部１６ｃとが嵌合方向で係止することで、各チャック部１１，１２の嵌合状態が維持される構成となっている。
【００２７】
さらに、本実施形態の各チャック部１１，１２には、図３（ａ），（ｂ）に示すように、チャック部１１，１２同士の嵌合状態の維持をさらに強化する第１嵌合強化部（凸部）２１及び第２嵌合強化部（凸部）２２が設けられている。第１嵌合強化凸部２１は、壁部１８の第２リブ１６ｂに対向する側の面１８ａに設けられ、嵌合ツメ部１６ｃの延出方向とは反対側、すなわち第２リブ１６ｂ側へ突出する。第２嵌合強化凸部２２は、第１リブ１６ａの第２リブ１６ｂとは反対側の面１６ｄに設けられ、嵌合ツメ部１６ｃの延出方向とは反対側、すなわち、第２リブ１６ｂとは反対側の外側へ突出している。
【００２８】
第１嵌合強化凸部２１及び第２嵌合強化凸部２２は、チャック部１１，１２（開口部１０３）の延在方向に沿って延在する線状のリブからなる。チャック部１１，１２の延在方向は、図１に示すＹ方向である。本実施形態では、第１嵌合強化凸部２１及び第２嵌合強化凸部２２が各チャック部１１，１２の延在方向全体に設けられているが、これに限られず、部分的に設けられていてもよい。
【００２９】
図３（ａ），（ｂ）に示すように、第１嵌合強化凸部２１及び第２嵌合強化凸部２２の先端側は、円弧状あるいは先鋭形状とされている。あるいは、先端側へ行くにしたがって、太さが細くなるように形成されていてもよい。
【００３０】
図４に示すように、各チャック部１１，１２が互いに嵌合した状態において、第１チャック部１１の第１嵌合強化凸部２１と第２チャック部１２の第２嵌合強化凸部２２、第１チャック部１１の第２嵌合強化凸部２２と第２チャック部１２の第１嵌合強化凸部２１が、嵌合方向（Ｚ方向）で互いに係止する構成とされている。
【００３１】
なお、本実施形態の構成に限られず、例えば、嵌合方向で第１チャック部１１の第１嵌合強化凸部２１と第２チャック部１２の第２嵌合強化凸部２２との間にＺ方向に沿う隙間Ｓ２（不図示）が存在していてもよい。この場合、嵌合強化凸部２１，２２どうしの間の隙間Ｓ２と、上述した嵌合ツメ部１６ｃ、１６ｃ間の隙間Ｓ１との関係は、Ｓ１＞Ｓ２の関係を満たす構成であることが好ましい。
【００３２】
図４に示すように、各チャック部１１，１２が互いに嵌合した状態において、第１チャック部１１の第１嵌合強化凸部２１は第２チャック部１２の第１リブ１６ａに当接し、第１チャック部１１の第２嵌合強化凸部２２は第２チャック部１２の壁部１８に当接する。一方、第２チャック部１２の第１嵌合強化凸部２１は、第１チャック部１１の第１リブ１６ａに当接し、第２チャック部１２の第２嵌合強化凸部２２は、第１チャック部１１の壁部１８に当接する。
【００３３】
このため、第１嵌合強化凸部２１及び第２嵌合強化凸部２２の突出量は、各チャック部１１，１２の延在方向（Ｙ方向）及び各チャック部１１，１２の嵌合方向（Ｚ方向）のそれぞれに直交する方向（Ｘ方向）で、各チャック部１１，１２どうしの間に隙間がないような寸法に設定する。
【００３４】
本実施形態のファスナー１０５を具備した収納ケース１００によれば、ファスナー１０５を開く場合は、図１に示すように、開口部１０３が閉じられた状態からスライダー１０４を−Ｙ方向（側部１５ｂ）へ移動させると、図２に示すように、操作部１０４Ａの挿入孔１０４ａによって各チャック部１１，１２が互いに遠ざかる方向へ案内されることで相互の嵌合状態が解除され、開口部１０３を開くことができる。
【００３５】
一方、ファスナーを閉じる場合は、開口部１０３が開放された状態からスライダー１０４を＋Ｙ方向（側壁部１５ａ）へ移動させると、図２に示すように、操作部１０４Ａの挿入孔１０４ａによって各チャック部１１，１２が互いに近づく方向へ案内されることで相互に嵌合し、開口部１０３を閉じることができる。
【００３６】
本実施形態のファスナー１０５には、各チャック部１１，１２の嵌合状態が、各チャック部１１，１２に設けられた一対のリブ１６ａ，１６ｂの各嵌合ツメ部１６ｃだけでなく、それぞれに設けられた嵌合強化凸部２１，２２によっても維持される構成となっている。
本実施形態では、各チャック部１１，１２の壁部１８に嵌合強化凸部２１をそれぞれ設けたことによって、嵌合した状態でチャック部１１，１２どうしの間にＸ方向へ隙間が生じることがなく、チャック部１１，１２同士のＸ方向への位置ずれが防止される。
【００３７】
さらに、本実施形態では、各チャック部１１，１２の各第1リブ１６ａにも嵌合強化凸部２２をそれぞれ設けたことによって、互いに嵌合した状態で、各チャック部１１，１２に設けられた嵌合強化凸部２１，２２どうしが係合し、嵌合方向（Ｚ方向）への位置ずれが防止されるようになっている。
【００３８】
このように、各チャック部１１，１２のそれぞれに第１嵌合強化凸部２１及び第２嵌合強化凸部２２を設けたことによって、嵌合状態における各チャック部１１，１２のＸ方向及びＺ方向への移動が規制されることになり、嵌合ツメ部１６ｃだけの従来の構成よりも、各チャック部１１，１２の嵌合状態の維持をより強化させることができ、チャック部１１，１２からスライダー１０４が不意に外れてしまうことを防止することができる。
【００３９】
これにより、夏季の気温の高い環境下においてファスナー１０５が柔軟になっても、スライダー１０４による開口部１０３の開閉操作を行いやすい。また、冬季の気温の低い環境下においてファスナー１０５が硬化して硬くなってもスライダー１０４がチャック部１１，１２から外れてしまうなどの不具合が生じるのをなくすことができる。
【００４０】
よって、本実施形態のファスナー１０５を備えた構成とすることで、スライダー１０４による開口部１０３の開閉操作に伴って、チャック部１１，１２からスライダー１０４が不意に外れてしまうのを防止できるとともに、スムーズな開閉操作を行うことのできる収納ケース１００を得ることができる。
【００４１】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００４２】
例えは、上記実施形態においては、各チャック部１１，１２に第１嵌合強化凸部２１及び第２嵌合強化凸部２２をそれぞれ設ける構成としたが、少なくとも第１嵌合強化凸部２１のみを有する構成としてもよい。この場合、上述したように各チャック部１１，１２が嵌合した状態において、一方のチャック部１１の第１嵌合強化凸部２１が他方のチャック部１２に当接する構成とすることで、各チャック部１１，１２の間にＸ方向の隙間が生じるのを防ぐことができ、各チャック部１１，１２が嵌合した状態において、各チャック部１１，１２のＸ方向における移動を規制することができる。これにより、そもそも第１嵌合強化凸部２１を有していない従来の構成に比べて、チャック部１１，１２の嵌合状態を維持しやすい構成にすることができる。
【００４３】
また、上述した実施形態では、各チャック部１１，１２が同一の金型を用いて形成された同一形状をなすものであると述べたが、これに限らない。各チャック部１１，１２が互いに異なる形状であってもよい。
【００４４】
図５は、リブ構造の変形例を示す断面図である。
例えば、図５に示すように、各チャック部１１，１２の第１嵌合強化凸部２１及び第２嵌合強化凸部２２の係合位置が、さらに連結部１９寄りとなるように構成されていてもよい。上述した実施形態では、第１嵌合強化凸部２１が壁部１８における合成樹脂シート１３との接続側の端部１８ｂに位置しているが（図４）、例えば、図５に示すように、上記実施形態よりもさらに、壁部１８における連結部１９との接続側の端部１８ｃ寄りに第１嵌合強化凸部２１が位置していてもよい。一方、第２嵌合強化凸部２２は、上記実施形態よりもさらに第１リブ１６ａの先端側に位置していてもよい。つまり、第１リブ１６ａの先端側に第２嵌合強化凸部２２を設けて、これに嵌合するように第１嵌合強化凸部２１の位置を調整してもよい。
【００４５】
この様な構成とした場合、スライダー１０４の開閉操作時に、各チャック部１１，１２が互いに嵌合した状態で壁部１８に対して連結部１９が遠ざかる方向へ変形しにくいため、互いに係合している第１嵌合強化凸部２１と第２嵌合強化凸部２２とが外れにくくなり、係合状態が維持されやすい。
【符号の説明】
【００４６】
１１，１２…チャック部、１３…合成樹脂シート、１６ａ…第１リブ（他方のリブ）、１６ｂ…第２リブ（一方のリブ）、１６ｃ…嵌合ツメ部（ツメ部）、１７ａ…第１嵌合溝、１７ａ…嵌合溝、１７ｂ…第２嵌合溝、１８…壁部、１８ｂ，１８ｃ，１９ｂ，１９ｃ…端部、１９…連結部、２１…第１嵌合強化部（凸部）、２２…第２嵌合強化部（凸部）、１０３…開口部、１０４…スライダー、１０５…ファスナー
【図１】
2018094145.tif 000003
【図２】
2018094145.tif 000004
【図３】
2018094145.tif 000005
【図４】
2018094145.tif 000006
【図５】
2018094145.tif 000007